(57)【要約】【課題】発光ダイオード（ＬＥＤ）ダイに関する選択システム及びその方法を提供する。【解決手段】本発明では、全ての供給されるＬＥＤダイを分類することにより、同じ特性を具えたＬＥＤダイが対応するＬＥＤビンコード領域に配置され、さらに、同じランプ仕様に対応する複数のコロケーションパラメータが記録されたコロケーション検索表が確立され、各コロケーションパラメータは、少なくとも１つのＬＥＤビンコード領域に対応している。従って、特定の所定のランプ仕様に対応するＬＥＤダイが空である、或いは在庫が充分でないとしても、本発明では、特定の仕様のＬＥＤランプを製造するために、確立されたコロケーション検索表を介して、その他の在庫、又は空ではない異なる特性を具えたＬＥＤダイ（即ち混合ビン法）を使用するよう提案する。【選択図】図４
2013128094.tif 000002
【特許請求の範囲】
【請求項１】
同じ特性を具えた発光ダイオード（ＬＥＤ）ダイを対応するＬＥＤビンコード領域に配置するために、異なる特性を具えた複数の供給されるＬＥＤダイを分類し、前記ＬＥＤダイに関する分類表を確立するソーティングモジュールと、
前記ソーティングモジュールに結合され、異なるランプ仕様に対応する複数のルートを記録するコロケーション検索表が組み込まれるコロケーションモジュールと
を備え、
前記複数のルートの各々は同じランプ仕様に対応する複数のコロケーションパラメータを有し、当該複数のコロケーションパラメータは少なくとも１つのＬＥＤビンコード領域に対応し、
前記コロケーションモジュールは、適用可能な前記ＬＥＤダイを知るために前記分類表を読み取り、所定のランプ仕様の入力条件に応じる前記コロケーション検索表を検索して、前記所定のランプ仕様に対応する少なくとも１つのコロケーションパラメータを取得及び提供することを特徴とする選択システム。
【請求項２】
前記少なくとも１つのコロケーションパラメータの数が複数であるとき、前記コロケーションモジュールが充分な在庫を有する前記ＬＥＤダイに対応するコロケーションパラメータを選択し、提供する請求項１に記載の選択システム。
【請求項３】
前記少なくとも１つのコロケーションパラメータの数が複数であるとき、前記コロケーションモジュールが各コロケーションパラメータに対応するＬＥＤダイの在庫を表示及び提供する請求項１に記載の選択システム。
【請求項４】
前記少なくとも１つのコロケーションパラメータの数が１であるとき、前記コロケーションモジュールが取得された単一のコロケーションパラメータを提供するとともに、供給エンドに空である、或いは充分でないＬＥＤダイを補充するよう通知する請求項１に記載の選択システム。
【請求項５】
前記ＬＥＤダイの各々の前記特性が、少なくとも色温度とルーメンを含む請求項１に記載の選択システム。
【請求項６】
前記取得されたコロケーションパラメータが単一のＬＥＤビンコード領域にのみ対応するとき、前記所定のランプ仕様に対応するランプは、前記同じ特性を具えた複数のＬＥＤダイを含む請求項５に記載の選択システム。
【請求項７】
前記取得されたコロケーションパラメータが複数のＬＥＤビンコード領域に対応するとき、前記所定のランプ仕様に対応するランプは、異なる特性を具えた複数のＬＥＤダイを含む請求項５に記載の選択システム。
【請求項８】
前記ランプ仕様が、少なくとも色温度とルーメンを含む請求項１に記載の選択システム。
【請求項９】
各コロケーションパラメータに対応する前記ランプ仕様が、米国規格協会（ANSI）の仕様に基づくものである請求項６に記載の選択システム。
【請求項１０】
同じ特性を具えた発光ダイオード（ＬＥＤ）ダイを対応するＬＥＤビンコード領域に配置するために、異なる特性を具えた複数の供給されるＬＥＤダイを分類して、続いて、前記ＬＥＤダイに関する分類表を確立することと、
異なるランプ仕様に対応する複数のルートを記録する、コロケーション検索表を確立することと、
所定のランプ仕様に対応する少なくとも１つのコロケーションパラメータを取得及び提供するために、適用可能な前記ＬＥＤダイを知るために前記分類表を読み込み、前記所定のランプ仕様の入力条件に応じる前記コロケーション検索表を検索することと
を含み、
前記複数のルートの各々が同じランプ仕様に対応する複数のコロケーションパラメータを有し、当該複数のコロケーションパラメータの各々は少なくとも１つのＬＥＤビンコード領域に対応する
選択方法。
【請求項１１】
前記少なくとも１つのコロケーションパラメータの数が複数であるとき、充分な在庫があるＬＥＤダイに対応するコロケーションパラメータが選択され、提供される請求項１０に記載の選択方法。
【請求項１２】
前記少なくとも１つのコロケーションパラメータの数が複数であるとき、各前記コロケーションパラメータに対応する前記ＬＥＤダイの在庫が表示及び提供される請求項１０に記載の選択方法。
【請求項１３】
前記少なくとも１つのコロケーションパラメータの数が１であるとき、取得された単一のコロケーションパラメータが提供されるとともに、供給エンドに空である、或いは充分ではないＬＥＤダイを補充するよう通知する請求項１０に記載の選択方法。
【請求項１４】
前記ＬＥＤダイの各々の特性が、少なくとも色温度とルーメンを含む請求項１０に記載の選択方法。
【請求項１５】
取得されたコロケーションパラメータが単一のＬＥＤビンコード領域にのみ対応するとき、前記所定のランプ仕様に対応するランプは、同じ特性を有する複数のＬＥＤダイを含む請求項１４に記載の選択方法。
【請求項１６】
取得されたコロケーションパラメータが複数のＬＥＤビンコード領域に対応するとき、前記所定のランプ仕様に対応するランプは、異なる特性を有する複数のＬＥＤダイを含む請求項１４に記載の選択方法。
【請求項１７】
前記ランプ仕様が、少なくとも色温度とルーメンを含む請求項１０に記載の選択方法。
【請求項１８】
各コロケーションパラメータに対応する前記ランプ仕様が、米国規格協会（ANSI）の仕様に基づくものである請求項１７に記載の選択方法。
【発明の詳細な説明】
【技術分野】
【０００１】
この発明は、選択技術に関するものである。特に、本発明は、発光ダイオードダイに関する選択システム及びその方法に関するものである。
【背景技術】
【０００２】
発光ダイオード（ＬＥＤ）は、半導体装置であり、その発光チップの材料は、主にIII-Ｖ族化学元素の化合物、例えばGaPまたはGaAsであり、その発光原理は、電気エネルギーを光エネルギーに転換する。詳しくは、ＬＥＤにおいて、電流を化合物半導体に印加することにより、電子と正孔が結合することにより、過剰なエネルギーを光の形式で放出する。ＬＥＤの発光現象は、熱発光又は放電発光ではないので、ＬＥＤの有効寿命は10万時間以上であることができる。さらには、ＬＥＤは、速い応答速度、小さいサイズ、省エネルギー、低汚染、高い信頼性、そして大量生産に適しているなどの長所があり、大型看板、交通信号機、携帯電話、スキャナ、ファックス装置の光源やＬＥＤランプなどの様々な領域で広く使用されている。
【０００３】
ＬＥＤランプに関して、その仕様（例えば、色温度）は、米国規格協会（ANSI）の仕様に基づくものである。従って、生産されたＬＥＤランプがＡＮＳＩ仕様に適合しない状況を避けるため、ほとんどのＬＥＤランプメーカが、一般的に、同じＬＥＤランプにおいて、同じ特性（例えば、色温度またはルーメン）を具えた複数のＬＥＤダイを構成する。このように、製造生産されたＬＥＤランプの仕様は、ＡＮＳＩ仕様の特定の仕様に適合することができる。
【０００４】
従って、１つのＬＥＤランプは、一般的に１つの色温度又はルーメンのＬＥＤダイを使用することに制限される。しかしながら、同じ特性を具えた望まれるＬＥＤダイが空である、または在庫が不充分である状況では、その他の特性のＬＥＤダイの在庫が充分であるとしても、生産しようとするＬＥＤランプを順調に製造することができない。
【発明の概要】
【０００５】
本発明の典型的な実施例は、ソーティングモジュール（sorting module）とコロケーションモジュール（collocation module）を含む選択システムを提供する。ソーティングモジュールは、対応するＬＥＤビンコード領域に同じ特性を有するＬＥＤダイを配置するために異なる特性を具えた供給される複数のＬＥＤダイを分類し、全ての供給されるＬＥＤダイに関する分類表を確立する。コロケーションモジュールは、ソーティングモジュールと結合し、コロケーション検索表が組み込まれる。コロケーションモジュールの組み込まれたコロケーション検索表は、異なるランプ仕様に対応する複数のルートを記録し、各ルートが同じランプ仕様に対応する複数のコロケーションパラメータを有し、各コロケーションパラメータは、少なくとも１つのＬＥＤビンコード領域に対応する。コロケーションモジュールは、全ての適用可能なＬＥＤダイを知るために分類表を読み込み、所定のランプ仕様の入力条件に応じるコロケーション検索表を検索して、所定のランプ仕様に対応する少なくとも１つのコロケーションパラメータを取得及び提供する。
【０００６】
本発明の実施の形態において、少なくとも１つのコロケーションパラメータの数が複数であるとき、コロケーションモジュールは、１、充分な在庫を有するＬＥＤダイに対応するコロケーションパラメータを選択及び提供する、或いは、２、各コロケーションパラメータに対応するＬＥＤダイの在庫を表示及び提供することが可能である。
【０００７】
本発明の実施の形態において、少なくとも１つのコロケーションパラメータの数が1であるとき、コロケーションモジュールは、取得された単一のコロケーションパラメータを提供し、空である、或いは充分ではないＬＥＤダイを補充するよう供給エンドに通知する。
【０００８】
本発明の別の典型的な実施の形態では、以下のステップを含む選択方法を提供する。対応するＬＥＤビンコード領域に同じ特性を具えたＬＥＤダイを配置するため、異なる特性を有する複数の供給されるＬＥＤが分類され、続いて全ての供給されるＬＥＤダイに関する分類表が確立される。コロケーション検索表が確立され、コロケーション検索表には、異なるランプ仕様に対応する複数のルートが記録され、各ルートは、同じランプ仕様に対応する複数のコロケーションパラメータを有し、そのうち、各コロケーションパラメータは、少なくとも１つのＬＥＤビンコード領域に対応する。分類表は、全ての適用可能なＬＥＤダイを知るために読み込まれ、コロケーション検索表は、所定のランプ仕様の入力条件に応じて検索され、所定のランプ仕様を具える少なくとも１つのコロケーションパラメータ取得及び提供する。
【０００９】
本発明の実施の形態において、少なくとも１つのコロケーションパラメータの数が複数であるとき、方法は、1、充分な在庫を有するＬＥＤダイに対応するコロケーションパラメータを選択及び提供する、或いは、２、各コロケーションパラメータに対応するＬＥＤダイの在庫を表示及び提供することを含む。
【００１０】
本発明の実施の形態において、少なくとも１つのコロケーションパラメータの数が1であるとき、取得された単一のコロケーションパラメータが提供され、供給エンドは、空である、或いは充分ではないＬＥＤダイを補充するよう通知される。
【００１１】
本発明の実施の形態において、各ＬＥＤダイの特性は、少なくとも色温度とルーメンを含む。このケースでは、取得されるコロケーションパラメータが単一のＬＥＤビンコード領域にのみ対応するとき、所定のランプ仕様に基づくランプは、同じ特性を具えた複数のＬＥＤダイを含む。反対に、取得されるコロケーションパラメータが複数のＬＥＤビンコード領域に対応するとき、所定のランプ仕様に基づくランプは、異なる特性を具えた複数のＬＥＤダイを含む。
【００１２】
本発明の実施の形態において、ランプ仕様は少なくとも色温度とルーメンを含み、各コロケーションパラメータに対応するランプ仕様は、米国規格協会（ＡＮＳＩ）の仕様に基づく。
【発明が解決しようとする課題】
【００１３】
単一ＬＥＤランプは、通常、単一の色温度又はルーメンのＬＥＤダイを使用するのに制限される。しかしながら、同じ特性を具える望まれるＬＥＤダイが空である、或いは在庫が充分ではない場合において、他の特性のＬＥＤダイは在庫が充分であるとしても、生産されるＬＥＤランプは、問題なく製造されることができない。
【課題を解決するための手段】
【００１４】
全ての供給されるＬＥＤダイを分類することにより、同じ特性を具えたＬＥＤダイが対応するＬＥＤビンコード領域に配置され、さらに、同じランプ仕様に対応する複数のコロケーションパラメータを記録したコロケーション検索表が確立され、各コロケーションパラメータは、少なくとも１つのＬＥＤビンコード領域に対応する。従って、特定の所定のランプ仕様に対応するＬＥＤダイが空である、或いは在庫が充分でないとしても、本発明では、特定の仕様のＬＥＤランプを製造するために、確立されたコロケーション検索表を介して、その他の在庫がある、或いは、空ではない異なる特性を具えたＬＥＤダイ（即ち混合ビン法）を使用するよう提案する。
【発明の効果】
【００１５】
使用されるＬＥＤダイが空である、或いは、在庫が充分でないとき、特定の仕様のＬＥＤランプを製造するために、その他の在庫がある、或いは、空ではない異なる特性を具えたＬＥＤダイ（即ち混合ビン法）を使用するよう提示することにより、背景技術に記載される課題を効果的に解決する。
【図面の簡単な説明】
【００１６】
【図１】本発明の実施の形態に基づく発光ダイオード（ＬＥＤ）ダイに関係する選択システム１０の概略図である。
【図２】本発明の実施の形態に基づく異なる特性を具えたＬＥＤダイのＬＥＤビンコード領域の概略図である。
【図３】本発明の実施の形態に基づくコロケーションモジュールに組み込まれるコロケーション検索表の概略図である。
【図４】本発明の実施の形態に基づくＬＥＤダイに関する選択方法のフローチャートである。
【発明を実施するための形態】
【００１７】
ここで、添付に図示される図面に基づき、本発明の好ましい実施の形態を詳細に説明する。可能な限り、図面及び説明において同じ又は類似の部材に同じ符号番号を使用する。
【００１８】
図１は、本発明の実施の形態に基づく発光ダイオード（ＬＥＤ）ダイに関係する選択システム１０の概略図である。図1を参照すると、選択システム１０は、おおよそ２つの主部分で構成され、そのうち一方はソーティングモジュール（sorting module）１０１であり、他方はコロケーションモジュール（collocation module）１０３である。本実施の形態において、ソーティングモジュール１０１は、同じ特性を具えたＬＥＤダイを対応するＬＥＤのビン（ＢＩＮ）コード領域（図2に示されるR11-RMN）に配置するため、異なる特性（例えば、色温度やルーメンであるが本発明ではそれに制限されず、発光波長や基準電圧などのようなその他の特性でもよい）を具えた複数の供給されるＬＥＤダイを分類し、そして供給されるすべてのＬＥＤダイに関して分類表（sorting table）Sort-Tを確立する。
【００１９】
簡潔に言えば、ソーティングモジュール１０１は、特に、全ての供給されるＬＥＤダイをテスト及び分類する自動テスト器材として設計されることができ、例えば、各供給されるＬＥＤダイの特性をテストし、同じ特性を具えるＬＥＤダイを同じＬＥＤビンコード領域R11/ R12/…/RMNに配置する。明らかに、同じＬＥＤビンコード領域R11/ R12/…/RMNに配置された全てのＬＥＤの特性は同じである。
【００２０】
さらに、コロケーションモジュール１０３は、ソーティングモジュール１０１に結合され、コロケーション検索表（collocation lookup table）Col-LUTが組み込まれている。図３に示すとおり、コロケーションモジュール１０３の組み込まれたコロケーション検索表Col-LUTは、異なるランプ仕様（例えば色温度やルーメンであるが、本発明ではそれに制限されない）に対応する複数のルート（root）RT1〜RTNを記録し、各ルートRT1〜RTNは、同じランプ仕様（例えば、色温度やルーメン）に対応する複数のコロケーションパラメータを有する。
【００２１】
例えば、ルートRT1は、同じランプ仕様（例えば、色温度やルーメン）に対応するＮコロケーションパラメータCol-1-1〜Co-1-Nを有し、ルートRT2は、同じランプ仕様（例えば、色温度やルーメン）に対応するＮコロケーションパラメータCol-2-1〜Co-2-Nを有し、同様に推論すれば、ルートRTNは、同じランプ仕様に対応するＮコロケーションパラメータCol-N-1〜Co-N-Nを有する。各コロケーションパラメータCol-X-1〜Col-X-N (X=1-N)に対応するランプ仕様は、米国規格協会（ANSI）の仕様に基づく。
【００２２】
本発明の実施の形態においては、各コロケーションパラメータCol-X-1〜Col-X-N (X=1-N)は、少なくとも１つのＬＥＤビンコード領域R11/ R12/…/RMNに対応する。言い換えると、各コロケーションパラメータCol-X-1〜Col-X-N (X=1-N)は、１つのＬＥＤビンコード領域R11/ R12/…/RMNに対応することができる、或いは１つ以上のＬＥＤビンコード領域R11及び/又は R12及び/又は…及び/又はRMNに対応することができる。１つのＬＥＤビンコード領域R11/ R12/…/RMNに対応する全てのコロケーションパラメータCol-X-1〜Col-X-N (X=1-N)とは、同じ特性を具えたＬＥＤダイがＬＥＤランプを製造するのに用いられることを表す。さらに、複数のＬＥＤビンコード領域R11及び/又は R12及び/又は…及び/又はRMNに対応するコロケーションパラメータCol-X-1〜Col-X-N (X=1-N)とは、異なる特性を具えたＬＥＤダイ（即ち混合ビン法）がＬＥＤランプを製造するのに用いられることを表す。
【００２３】
このようにして、コロケーションモジュール１０３は、全ての適用可能なＬＥＤダイ（即ち、使用でき、空ではない全てのＬＥＤダイ）について知るために、ソーティングモジュール１０１中に確立された分類表Sort-Tを読み、所定のランプ仕様（例えば、3500°Kの色温度や1000Lmのルーメンであるが、本発明はそれに制限されない）に基づくコロケーションパラメータCol-X-1〜Col-X-N (X=1-N)を見つけるため、所定のランプ仕様（例えば、3500°Kの色温度や1000Lmのルーメンであるが、本発明はそれに制限されない）の入力条件ＩＮに反応する組み込まれたコロケーション検索表Col-LUTを検索して、所定のランプ仕様に基づく少なくとも１つのコロケーションパラメータCol-X-1〜Col-X-N (X=1-N)を取得及び提供する。
【００２４】
本発明の実施の形態では、コロケーションモジュール１０３により取得及び提供されるコロケーションパラメータの数が複数であるとき、各ＬＥＤビンコード領域R11-RMNに配置されるＬＥＤダイの量は充分であることを意味する。従って、コロケーションモジュール１０３は、ＬＥＤランプメーカーに参考のため、充分な在庫のあるＬＥＤダイに対応するコロケーションパラメータを選択及び提供することができる。あるいは、コロケーションモジュール１０３は、ＬＥＤランプメーカーの参考と選択のために、各コロケーションパラメータに対応するＬＥＤダイの在庫を表示及び提供することもできる。
【００２５】
また一方では、コロケーションモジュール１０３により取得され、提供されるコロケーションパラメータの数が1であるとき、ＬＥＤビンコード領域R11-RMNに配置される部分のＬＥＤダイの量は、空である、或いは在庫が充分でないことを意味する。そこで、コロケーションモジュール１０３は、ＬＥＤランプメーカーに参考のため、取得された単一のコロケーションパラメータを提供し、供給エンド（供給されるＬＥＤダイを供給する単位）に空である、又は不十分なＬＥＤダイを補充するよう通知する。
【００２６】
ここで、注意すべきことは、コロケーションモジュール１０３により取得され、提供される各コロケーションパラメータが、複数のＬＥＤビンコード領域R11及び/又は R12及び/又は…及び/又はRMNに対応するのであれば、所定のランプ仕様に対応した（ＬＥＤ）ランプは、異なる特性（色温度やルーメン）を具えた複数のＬＥＤダイを含んでいてもよいことである。つまり、異なる特性を具えた複数のＬＥＤダイ（即ち混合ビン法）は、所定のランプ仕様に対応した色温度とルーメンを実行するために用いられる。
【００２７】
しかし、コロケーションモジュール１０３により取得され、提供される各コロケーションパラメータが、単一のＬＥＤビンコード領域R11/R12…/RMNに対応するのであれば、所定のランプ仕様に対応した（ＬＥＤ）ランプは、同じ特性を具えた複数のＬＥＤダイのみを含む。つまり、同じ特性（色温度やルーメン）を具えた複数のＬＥＤダイは、所定のランプ仕様に対応した色温度とルーメンを実行するために用いられる。
【００２８】
以上の説明に基づくと、本発明の実施の形態において、ソーティングモジュール１０１は、同じ特性を具えるＬＥＤダイを同じＬＥＤビンコード領域R11-RMNに配置するために、供給される全てのＬＥＤダイを分類するのに用いられ、同じランプ仕様に対応する複数のコロケーションパラメータCol-X-1〜Col-X-N (X=1-N)を記録したコロケーション検索表Col-LUTを確立するが、各コロケーションパラメータCol-X-1〜Col-X-N (X=1-N)は、少なくとも１つ（即ち１つ又は１つ以上）のＬＥＤビンコード領域R11/R12…/RMNに対応する。従って、特定の所定のランプ仕様に対応するＬＥＤダイが空である、或いは在庫が充分ではないとしても、本発明の実施の形態に基づくと、特定の仕様のＬＥＤランプを製造するために、確立されたコロケーション検索表を介して、その他の在庫又は異なる特性（即ち、混合ビン法）を具えた空ではないＬＥＤを使用するよう提案される。
【００２９】
また他方では、前述した実施の形態により開示/提示される内容に基づくと、図４は、本発明の実施の形態に基づくＬＥＤダイに関する選択方法を示すフローチャートである。図４を参照すると、本発明の実施の形態のＬＥＤダイに関する選択方法は、以下のステップを含む。
【００３０】
異なる特性（例えば、色温度とルーメンであるが、本発明はそれに制限されない）を具えた複数の供給されるＬＥＤが、同じ特性を具えたＬＥＤダイを対応するＬＥＤビンコード領域に配置するため分類され（ステップＳ４０１）、続いて、全ての供給されるＬＥＤダイに関する分類表が確立される。
【００３１】
コロケーション検索表が確立され（ステップＳ４０３）、確立されたコロケーション検索表は、異なるランプ仕様に対応する複数のルートを記録しており、各ルートは、同じランプ仕様に対応する複数のコロケーションパラメータを有しており、各コロケーションパラメータは、少なくとも１つのＬＥＤビンコード領域に対応し、各コロケーションパラメータに対応するランプ仕様は、米国規格協会（ＡＮＳＩ）の仕様に基づく。
【００３２】
分類表は、全ての適用可能なＬＥＤダイについて知るため読み込まれ、コロケーション検索表は、所定のランプ仕様（例えば、色温度やルーメンであるが、本発明はそれに制限されない）の入力条件への応答を検索され（ステップＳ４０５）、所定のランプ仕様に対応する少なくとも１つのコロケーションパラメータを取得及び供給する。
【００３３】
取得及び提供されたコロケーションパラメータの数を判断する（ステップＳ４０７）。
【００３４】
取得及び提供されたコロケーションパラメータの数が複数である（即ち、ステップＳ４０７の判断結果が"いいえ"である）とき、充分な在庫を有するＬＥＤダイに対応するコロケーションパラメータが選択及び供給される、或いは各コロケーションパラメータに対応するＬＥＤの在庫が表示及び提供される（ステップＳ４０９）。
【００３５】
取得及び提供されたコロケーションパラメータの数が1つである（即ち、ステップＳ４０７の判断結果が"はい"である）とき、取得された単一のコロケーションパラメータが供給され、空の又は不十分なＬＥＤダイを補充するよう供給エンドに通知される（Ｓ４１１）。
【００３６】
同様に、取得及び供給される各コロケーションパラメータが複数のＬＥＤビンコード領域に対応するのであれば、所定のランプ仕様を具えた（ＬＥＤ）ランプは、異なる特性（色温度やルーメン）を具えた複数のＬＥＤダイを含むことができる。つまり、異なる特性を具えた複数のＬＥＤダイ（即ち混合ビン法）は、所定のランプ仕様に対応した色温度とルーメンを実行するために用いられる。
【００３７】
しかしながら、取得及び供給される各コロケーションパラメータが単一のＬＥＤビンコード領域に対応するのであれば、所定のランプ仕様を具えた（ＬＥＤ）ランプは、同じ特性を具えた複数のＬＥＤダイのみを含む。つまり、同じ特性（色温度やルーメン）を具えた複数のＬＥＤダイは、所定のランプ仕様に対応した色温度とルーメンを実行するために用いられる。
【００３８】
要約すると、全ての供給されるＬＥＤダイを分類することにより、同じ特性を具えたＬＥＤダイが対応するＬＥＤビンコード領域に配置され、同じランプ仕様に対応する複数のコロケーションパラメータが記録されたコロケーション検索表が確立され、各コロケーションパラメータは、少なくとも１つ（即ち、１つ又は１つ以上）のＬＥＤビンコード領域に対応する。従って、特定の所定のランプ仕様に対応するＬＥＤが空である、或いは在庫が不十分であるとしても、本発明では、特定の仕様のＬＥＤランプを製造するために、確立されたコロケーション検索表を介して、その他の在庫、又は空ではない異なる特性を具えたＬＥＤダイ（即ち混合ビン法）を使用するよう提案し、先行技術に記載される課題を効果的に解決する。
【００３９】
なお、当業者にとっては、本発明の精神及び範囲を逸脱することなく、いくつかの変更と修正をすることができることは明らかである。以上のように、この発明を実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【産業上の利用可能性】
【００４０】
特定の所定のランプ仕様に対応するＬＥＤダイが空である、或いは在庫が充分でないとしても、本発明では、特定の仕様のＬＥＤランプを製造するために、確立されたコロケーション検索表を介して、その他の在庫、又は空ではない異なる特性を具えたＬＥＤダイ（即ち混合ビン法）を使用するよう提案する。
【符号の説明】
【００４１】
１０  ：選択システム
１０１：ソーティングモジュール
１０３：コロケーションモジュール
Sort-T: 分類表
Col-LUT: コロケーション検索表
R11-RMN: ＬＥＤビンコード領域
ＩＮ: 入力条件
Col-X-1〜Col-X-N (X=1-N): コロケーションパラメータ
S401-S411: 本発明の実施の形態に基づくＬＥＤダイに関する選択方法のステップ
【図１】
2013128094.tif 000003
【図２】
2013128094.tif 000004
【図３】
2013128094.tif 000005
【図４】
2013128094.tif 000006
【外国語明細書】
2013128094000001.pdf